(57)【要約】【課題】短時間先にエレベータを再度利用することが分かっている場合に、その短時間先の利用のために、簡単にエレベータの配車予約を行うことができるエレベータ配車予約システムを得る。【解決手段】利用者が短時間先のエレベータの配車予約を登録するために、予約時間と予約階床とを入力可能な配車予約登録装置を、エレベータの乗場又はかご４に設置する。そして、配車予約登録装置から予約時間及び予約階床が入力されて配車予約が登録された場合に、その予約時間に基づいて、予約階床以外の階床の呼びに割り当てられていないエレベータを、予約階床に配車する。【選択図】図２
2010013207.tif 000002
【特許請求の範囲】
【請求項１】
エレベータの乗場又はかごに設けられ、利用者が短時間先のエレベータの配車予約を登録するために、予約時間と予約階床とを入力可能な配車予約登録装置と、
前記配車予約登録装置から予約時間及び予約階床が入力されて配車予約が登録された場合に、その予約時間に基づいて、予約階床以外の階床の呼びに割り当てられていないエレベータを、予約階床に配車する配車予約制御手段と、
を備えたことを特徴とするエレベータ配車予約システム。
【請求項２】
配車予約制御手段は、
配車予約登録装置から予約時間及び予約階床が入力されて配車予約が登録された場合に、予約時間が経過したか否かを判定する予約時間判定手段と、
前記予約時間判定手段によって予約時間の経過が判定された場合に、予約階床以外の階床の呼びに割り当てられていないエレベータを予約階床に配車して、戸閉待機させる運転制御手段と、
を備えたことを特徴とする請求項１に記載のエレベータ配車予約システム。
【請求項３】
配車予約制御手段は、
配車予約登録装置から予約時間及び予約階床が入力されて配車予約が登録された後、予約時間判定手段によって予約時間の経過が判定され、且つ、全てのエレベータに対して、予約階床以外の階床の呼びが割り当てられている場合に、登録された配車予約をキャンセルするキャンセル手段と、
を更に備えたことを特徴とする請求項２に記載のエレベータ配車予約システム。
【請求項４】
配車予約登録装置は、かごの内部に設けられ、利用者の手操作によって予約時間と予約階床とが入力可能なことを特徴とする請求項１から請求項３の何れかに記載のエレベータ配車予約システム。
【発明の詳細な説明】
【技術分野】
【０００１】
この発明は、短時間先のエレベータの配車予約を行うことができるエレベータ配車予約システムに関するものである。
【背景技術】
【０００２】
従来から、エレベータの配車を予約するための種々のシステムが開発されている。
例えば、従来技術として、エレベータの利用者数を学習することにより、そのビル内の閑散時や混雑時等の状況を判断し、交通需要に応じた配車を行うものが提案されている（例えば、特許文献１参照）。
また、他の従来技術として、ＰＣ等を利用することにより、マンション等の各住戸からエレベータの配車予約を行うことができるように構成したものも提案されている（例えば、特許文献２参照）。
【０００３】
【特許文献１】特開平１１−２９２６８号公報
【特許文献２】特開２００４−４３１００号公報
【発明の開示】
【発明が解決しようとする課題】
【０００４】
マンション等の住宅ビルでは、ある階床間を短時間で往復するといったエレベータの利用形態が多く見られる。例えば、ゴミの収集場所にゴミを出して戻る場合や、回覧板を回して自宅に戻る場合、外出直後に忘れ物に気付き、自宅に一回戻る場合等が上記利用形態に該当する。しかし、従来では、このように短時間先にエレベータを再度利用することが分かっている場合でも、利用者は、エレベータの乗場で乗場釦を押してからかごを呼び寄せなくてはならず、利便性が悪いといった問題があった。
【０００５】
なお、特許文献１記載のものはビル内の交通需要に応じた配車を行うもの、特許文献２記載のものはＰＣ等を利用して各住戸から配車予約を行うものであり、上述のような状況に適用することは困難であった。
【０００６】
この発明は、上述のような課題を解決するためになされたもので、その目的は、短時間先にエレベータを再度利用することが分かっている場合に、その短時間先の利用のために、簡単にエレベータの配車予約を行うことができるエレベータ配車予約システムを提供することである。
【課題を解決するための手段】
【０００７】
この発明に係るエレベータ配車予約システムは、エレベータの乗場又はかごに設けられ、利用者が短時間先のエレベータの配車予約を登録するために、予約時間と予約階床とを入力可能な配車予約登録装置と、配車予約登録装置から予約時間及び予約階床が入力されて配車予約が登録された場合に、その予約時間に基づいて、予約階床以外の階床の呼びに割り当てられていないエレベータを、予約階床に配車する配車予約制御手段と、を備えたものである。
【発明の効果】
【０００８】
この発明によれば、短時間先にエレベータを再度利用することが分かっている場合に、その短時間先の利用のために、簡単にエレベータの配車予約を行うことができるようになる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１におけるエレベータ配車予約システムを示す全体構成図である。なお、図１に示すエレベータ配車予約システムは、一例として、群管理制御された複数台のエレベータに対して適用された場合を示している。
【００１１】
図１において、１は群管理制御装置であり、マンション等の集合住宅ビル内に設置された複数台のエレベータを群管理制御する機能を有している。２は各エレベータの運転制御を行う制御盤である。なお、各エレベータの基本構成は同じであるため、図１では１台のエレベータについてのみ具体的な構成を示しており、他のエレベータについてはその図示を省略している。
【００１２】
３はエレベータの各乗場に設けられた乗場釦、４はエレベータ昇降路内を昇降するかご、５はかご４に設けられたかご機器制御用のＣＰＵユニット、６はかご４の内部に設けられたかご操作盤である。エレベータ利用者は、乗場において乗場釦３を操作することにより、乗場呼びを登録する。なお、制御盤２及び乗場釦３間、制御盤２及びＣＰＵユニット５間、ＣＰＵユニット５及びかご操作盤６間は、それぞれ制御ケーブル７乃至９によって接続されており、信号の送受信が可能に構成される。
上記群管理制御装置１は、乗場釦３から登録された乗場呼びに対して、適切なエレベータ（のかご４）を割り当てる機能を有している。そして、各エレベータの制御盤２は、群管理制御装置１からの動作指令に基づいて、各エレベータの運転制御を行う。
【００１３】
また、上記構成のエレベータ配車予約システムには、短時間先にエレベータを再度利用する利用者のために、簡単な操作によってエレベータの配車予約を行うことができる機能も備えられている。以下に、上記配車予約機能を実現するための構成とその動作について具体的に説明する。なお、本実施の形態においては、一例として、利用者が、かご操作盤６を操作してエレベータの配車予約を行う場合について説明する。
【００１４】
図２は図１のかご操作盤の一例を示す図、図３は図１に示すエレベータ配車予約システムの具体的機能を説明するためのシステム構成図である。
かご操作盤６には、例えば、かご位置や走行方向等を表示するためのインジケータ１０、利用者が行先階登録を行うためのかご釦１１、エレベータ戸を開閉するための戸開閉釦１２の他、予約釦１３及び表示部１４が備えられている。本実施の形態の場合、上記かご釦１１、予約釦１３、表示部１４により、配車予約登録装置を構成する。即ち、利用者は、短時間先のエレベータの配車予約を登録するために、かご釦１１、予約釦１３、表示部１４を操作して、予約時間と予約階床との入力を行う。
【００１５】
具体的に、予約釦１３は予約時間を設定するために操作され、例えば、１回押される毎に２０秒の予約時間を加算する機能を有している。また、かご釦１１は、予約釦１３によって設定された予約時間と、短時間先にかご４を呼び寄せておきたい階床（即ち、予約階床）とを確定するために操作される。具体的な例として、かご４内の利用者が、１分程度後に６階からエレベータを再度利用することが分かっている場合、この利用者は、予約釦１３を３回押すことによって６０秒の予約時間を設定し、その後に６階のかご釦１１を押すことによって、予約時間と予約階床との入力を完了させる。
【００１６】
なお、上記表示部１４には、予約時間が表示される。即ち、上記入力例の場合には、予約釦１３が１回押されることによって表示部１４に「２０」が、３回目の操作によって「６０」が表示部１４に表示される。したがって、利用者は、この表示部１４の表示内容を見て、現在入力している予約時間を確認することができる。
【００１７】
また、このエレベータ配車予約システムには、上記配車予約機能の要部を構成する配車予約制御手段が備えられている。この配車予約制御手段は、上記配車予約登録装置から予約時間と予約階床とが入力されて配車予約が登録された場合に、その入力された予約時間に基づいて、所定の条件下、入力された予約階床にエレベータを配車する機能を有している。上記配車予約制御手段は、その要部が、予約時間判定手段１５、運転制御手段１６、キャンセル手段１７により構成されている。
なお、図２には、一例として、配車予約制御手段の各構成が群管理制御装置１に備えられている場合を示しているが、その機能の一部或いは全部を各制御盤２に備えるように構成しても良い。
【００１８】
具体的に、予約時間判定手段１５は、配車予約登録装置から予約時間と予約階床とが入力されて配車予約が登録された場合に、その入力された予約時間が経過したか否かを判定する機能を有している。
運転制御手段１６は、予約時間判定手段１５によって上記予約時間の経過が判定された場合に、予約階床以外の階床の呼びに割り当てられていないエレベータを、上記予約階床に配車して、その階床で戸閉待機させる機能を有している。
【００１９】
また、キャンセル手段１７は、所定の条件下、登録された配車予約をキャンセルする機能を有している。具体的に、キャンセル手段１７は、配車予約登録装置から予約時間と予約階床とが入力されて配車予約が登録された後、予約時間判定手段１５によって予約時間の経過が判定され、且つ、全てのエレベータに対して、入力された予約階床以外の階床の呼びが割り当てられている場合に、登録された配車予約をキャンセルする。また、キャンセル手段１７は、上記運転制御手段１６の機能によりエレベータが予約階床で所定時間以上戸閉待機している場合にも、登録された配車予約をキャンセルする。
【００２０】
次に、図４に基づき、上記構成を有するエレベータ配車予約システムの動作について説明する。図４はこの発明の実施の形態１におけるエレベータ配車予約システムの動作を示すフローチャートである。
【００２１】
短時間先にエレベータを再度利用することが分かっている場合、利用者は、かご４内でエレベータの配車予約を行うことができる。かかる場合、利用者は、先ず、かご操作盤６の予約釦１３を押して（Ｓ１）、何秒後にかご４を呼び寄せたいか（予約時間）を設定する。なお、上述したように、予約釦１３を１回押す毎に、例えば、予約時間に２０秒が加算され、表示部１４にその加算時間が表示される（Ｓ２）。利用者は、表示部１４に所望の予約時間を表示させた後、かご４を呼び寄せたい階床（予約階床）のかご釦１１を押す（Ｓ３）。かご操作盤６から入力された予約時間と予約階床の各データは、ＣＰＵユニット５及びエレベータ制御盤２を経由して群管理制御装置１に伝送される（Ｓ４）。これら一連の操作により、配車予約の登録が完了する（Ｓ５）。
【００２２】
群管理制御装置１では、配車予約登録装置から予約時間及び予約階床の各データが入力された後に、予約時間判定手段１５によって予約時間の経過が判定されると（Ｓ６）、運転制御手段１６により、上記予約階床以外の階床の呼びに割り当てられていないエレベータであって、他の配車予約がないエレベータがあるか否かを判定する（Ｓ７）。なお、Ｓ７に示す条件に該当するエレベータが所定時間存在しない場合は、キャンセル手段１７により、Ｓ５において登録された配車予約がキャンセルされる（Ｓ８、Ｓ９）。
【００２３】
一方、Ｓ７に示す条件に該当するエレベータがある場合、運転制御手段１６は、そのエレベータを予約階床に配車して、その階床で乗場釦３が押されるまで戸閉待機させる（Ｓ１０）。そして、その後に待機階の乗場釦３が押されると、その乗場呼びに応答して戸開し、利用者をかご４に乗車させる（Ｓ１１、Ｓ１２）。一方、予約階床での待機を開始してから所定時間経過するまでその階床の乗場釦３が押されない場合は、戸閉待機状態をキャンセルして動作を終了する（Ｓ１３、Ｓ１４）。
【００２４】
例えば、集合住宅ビルの６階に住む利用者が、自宅に忘れ物を取りに戻る場合、１階でエレベータに乗車後、かご４内で上述の操作を行い、例えば、６０秒後に６階への配車予約を行う。したがって、利用者が６階で降車して自宅に戻り、忘れ物を持って６階のエレベータ乗場に行くと、上記配車予約によって配車されたかご４が戸閉待機している。このように、利用者は、乗場でかご４の到着を待つことなく、直ぐにかご４に乗ることができるようになる。
【００２５】
また、例えば、集合住宅ビルの６階に住む利用者が先に１階の駐車場に向かい、その後遅れてその利用者の家族が６階の自宅から出てくる場合、先に自宅から出た利用者は、遅れてくる家族のために、上述の操作によって、１２０秒後に６階への配車予約を行う。このように、かご４内で他の利用者のために配車予約を行うことも可能である。
【００２６】
この発明の実施の形態１によれば、短時間先にエレベータを再度利用することが分かっている場合に、その短時間先の利用のために、簡単にエレベータの配車予約を行うことができるようになる。このため、乗場での待ち時間が少なくなり、利用者の不快感やイライラ感を抑制することが可能となる。また、上記構成のエレベータ配車予約システムであれば、実際の乗場呼びが登録される訳ではなく、他階の呼びに割り当てられていないエレベータのみ予約階床に配車するため、他階に対する運行効率を悪化させることなく、上記効果を奏することができる。
【００２７】
なお、本実施の形態では、かご操作盤６を利用してエレベータの配車予約を行う場合について説明した。これは、実際の利用に適したものであるが、配車予約登録装置は上記構成に限るものではなく、例えば、各乗場に設置しても良い。また、その登録方法も、予約釦１３等の新たな釦が不要な既存の釦を使用した暗証操作等による方法、自宅の鍵或いはセキュリティーカードを利用した方法等、種々の方法が考えられる。
【図面の簡単な説明】
【００２８】
【図１】この発明の実施の形態１におけるエレベータ配車予約システムを示す全体構成図である。
【図２】図１のかご操作盤の一例を示す図である。
【図３】図１に示すエレベータ配車予約システムの具体的機能を説明するためのシステム構成図である。
【図４】この発明の実施の形態１におけるエレベータ配車予約システムの動作を示すフローチャートである。
【符号の説明】
【００２９】
１  群管理制御装置
２  制御盤
３  乗場釦
４  かご
５  ＣＰＵユニット
６  かご操作盤
７、８、９  制御ケーブル
１０  インジケータ
１１  かご釦
１２  戸開閉釦
１３  予約釦
１４  表示部
１５  予約時間判定手段
１６  運転制御手段
１７  キャンセル手段
【図１】
2010013207.tif 000003
【図２】
2010013207.tif 000004
【図３】
2010013207.tif 000005
【図４】
2010013207.tif 000006